(57)【特許請求の範囲】
【請求項１】
コネクタ本体に設けられた内円筒部にコネクタカバーに設けられた外円筒部が装着され、前記内円筒部と前記外円筒部との間にシール材が介装されるコネクタであって、
前記コネクタカバーの前記外円筒部の外周面には、当該外円筒部の軸心方向に並んだ突起部及び被され部が設けられ、
前記コネクタ本体には、前記コネクタ本体の前記内円筒部との間に間隙を設けて配置された、前記突起部と前記被され部とで挟持される方向規制部と、該方向規制部に形成された、前記コネクタカバーの周方向への回転を規制するボッチ部とが設けられていることを特徴とするコネクタ。
【請求項２】
前記被され部には、前記突起部と対向する位置に前記突起部よりも大きな穴が形成され、
前記ボッチ部は、前記穴の側面に係止されることを特徴とする請求項１に記載のコネクタ。
【請求項３】
前記方向規制部は、前記コネクタ本体の前記内円筒部の開口端側が平坦に形成されており、
前記被され部は、当該内円筒部の開口端側を向いた前記方向規制部の全面を覆うように前記方向規制部に被されることを特徴とする請求項１又は２に記載のコネクタ。
【発明の詳細な説明】
【技術分野】
【０００１】
本発明は、コネクタ本体の開口部がコネクタカバーで覆われたコネクタに関する。
【背景技術】
【０００２】
下記の特許文献１，２に記載のコネクタは、コネクタ本体の開口部がコネクタカバーで覆われている。この種のコネクタでは、コネクタ本体の円筒部にコネクタカバーの円筒部が外環されて装着される場合、円筒部同士を回転させることでコネクタカバーを装着し、コネクタカバー側の一対の挟持片でコネクタ本体側の舌片を挟持して、コネクタカバーの外れを防止することがある。
【先行技術文献】
【特許文献】
【０００３】
【特許文献１】実開平６−７７１７６号公報
【特許文献２】特開平８−２７３７４５号公報
【発明の概要】
【発明が解決しようとする課題】
【０００４】
このようなカバーの取付構造では、コネクタ本体に対してコネクタカバーが回転して舌片での挟持が解かれたり、コネクタカバーをコネクタ本体から外そうとする力が働いた場合に、コネクタカバーの外れが生じる虞があった。
【０００５】
本発明は斯かる課題に鑑みてなされたもので、上記課題を解決できるコネクタを提供することを目的とする。
【課題を解決するための手段】
【０００６】
このような目的を達成するために、本発明のコネクタは、コネクタ本体に設けられた内円筒部にコネクタカバーに設けられた外円筒部が装着され、前記内円筒部と前記外円筒部との間にシール材が介装されるコネクタであって、前記コネクタカバーの前記外円筒部の外周面には、当該外円筒部の軸心方向に並んだ突起部及び被され部が設けられ、前記コネクタ本体には、前記コネクタ本体の前記内円筒部との間に間隙を設けて配置された、前記突起部と前記被され部とで挟持される方向規制部と、該方向規制部に形成された、前記コネクタカバーの周方向への回転を規制するボッチ部とが設けられていることを特徴とする。
また、本発明は、前記被され部には、前記突起部と対向する位置に前記突起部よりも大きな穴が形成され、前記ボッチ部は、前記穴の側面に係止されることを特徴とする。
また、本発明は、前記方向規制部は、前記コネクタ本体の前記内円筒部の開口端側が平坦に形成されており、前記被され部は、当該円筒部の開口端側を向いた前記方向規制部の全面を覆うように前記方向規制部に被されることを特徴とする。
【発明の効果】
【０００７】
本発明によれば、方向規制部を突起部及び被され部で挟持し、被され部の移動をボッチ部で規制することで、コネクタ本体に対するコネクタカバーの保持力を向上させられる。
【図面の簡単な説明】
【０００８】
【図１】本発明の一実施形態のコネクタが備えるコネクタ本体を示す図である。
【図２】本発明の一実施形態のコネクタが備えるコネクタカバーを示す図である。
【図３】コネクタ本体に対するコネクタカバーの取付方法を示す図である。
【図４】コネクタ本体に対するコネクタカバーの回転方法を示す図である。
【図５】コネクタ本体に対するコネクタカバーの取付構造を示す断面図である。
【図６】コネクタの平面図である。
【発明を実施するための形態】
【０００９】
以下、図面を参照して、本発明の一実施形態を説明する。
【００１０】
本実施形態のコネクタ１は、図１に示すコネクタ本体２と、図２に示すコネクタカバー３とを備えている。
【００１１】
コネクタ本体２は、図１に示すように、コネクタカバー３が装着される内円筒部２１と、内円筒部２１に対するコネクタカバー３の回転を規制する方向規制部２３とを備えている。内円筒部２１は、コネクタ本体２が備えたフランジ部２６の表面から延びており、Ｏリング４が装着された溝２２が外周面に設けられている。
【００１２】
方向規制部２３は、フランジ部２６の外周面から側方に延びた板状体の表面に形成されている。方向規制部２３は、内円筒部２１と対向する面に溝部２４を備え、表面にはボッチ部２５を備えている。
【００１３】
コネクタカバー３は、図２に示すように、コネクタ本体２の内円筒部２１に装着される外円筒部３１の外周面に、保持部３２を備えている。保持部３２は、板状の突起部３３及び被され部３４を外円筒部３１の軸心方向に並べて備えている。
【００１４】
被され部３４は、突起部３３よりもコネクタカバー３の天板側に位置しており、突起部３３よりも長い板状を呈している。被され部３４の突起部３３と対向する位置には、穴３５が形成されている。穴３５は、突起部３３よりも大きく形成されている。
【００１５】
コネクタカバー３は、図３に示すように、コネクタ本体２が備える内円筒部２１に被せられて装着される。コネクタカバー３は、図４（ａ）に示すように内円筒部２１に外円筒部３１が外環されて被せられると、図４（ｂ）に示すように保持部３２が方向規制部２３に保持されるまで、外円筒部３１の周方向に回転させられる。
【００１６】
Ｏリング４は、図５に示すように、内円筒部２１の外周面と外円筒部３１の内周面との間に配置されて、内円筒部２１と外円筒部３１との間をシールしている。また、保持部３２は、溝部２４に収容された突起部３３と方向規制部２３の表面を覆った被され部３４とで方向規制部２３を挟み込んで、方向規制部２３に保持される。方向規制部２３のボッチ部２５は、図６に示すように被され部３４の穴３５内に収容される。
【００１７】
方向規制部２３に保持された保持部３２は、方向規制部２３のボッチ部２５に被され部３４が係止されることで、外円筒部３１の周方向への移動が規制され、また、突起部３３と被され部３４とで方向規制部２３を挟み込むことで、外円筒部３１の軸心方向への移動が規制される。
【００１８】
本実施形態によれば、コネクタカバー３の周方向への移動をボッチ部２５で規制してコネクタカバー３の回転を防止し、突起部３３と被され部３４とで方向規制部２３を挟み込んでコネクタカバー３の軸心方向への移動を防止できる。このため、コネクタ本体２に対するコネクタカバー３の保持力を向上させられる。
【００１９】
また、本実施形態によれば、内円筒部２１の開口端側を向いた方向規制部２３の表面が平坦に形成され、被され部３４がこの平坦面の全面を覆うように方向規制部２３に被されることで、方向規制部２３の周縁よりも遠い位置まで被され部３４の先端を延ばすことができる。コネクタ１の多極化に伴いコネクタ間口が広大化すると、コネクタカバー３を保持部と反対側からコネクタ本体２から外すような力が働いた際に突起部３３が溝部２４から抜け出し、コネクタカバー３が外れ易くなる。しかし、コネクタ１によれば、このような力が働いた際に、突起部３３が溝部２４から抜け出すのを防止するのに十分な長さの被され部３４を設けられる。
【００２０】
また、本実施形態によれば、被され部３４の穴３５から方向規制部２３のボッチ部２５を目視することで、コネクタカバー３がコネクタ本体２の正規位置に装着されているかを確認できる。また、被され部３４と突起部３３とに重なり合う部分が形成されないことから、コネクタカバー３の製造用の金型に可動部を設ける必要がなく、金型構造を簡略化できる。
【００２１】
なお、上記実施形態では、コネクタ本体２の溝２２にＯリング４が装着されている場合について説明したが、コネクタカバー３の外円筒部３１に装着されていてもよい。また、突起部３３及び被され部３４は、外円筒部３１の外周面に直接形成されていてもよい。
【００２２】
また、ボッチ部２５は、コネクタカバー３に係止されてコネクタカバー３の周方向への回転を規制できればよく、突起部３３等に係止されるよう構成されていてもよい。また、方向規制部２３は、フランジ部２６の外周面から側方に延びた板状体の表面から内円筒部２１側に向けてＬ字状に延びた板状体から形成されていてもよい。
【００２３】
また、上記実施形態では、被され部３４が備える穴３５の側面にボッチ部２５が係止される場合について説明したが、被され部３４には凹部等のボッチ部２５が係止される箇所が設けられていればよい。
【００２４】
また、被され部３４の長さは、コネクタカバー３を保持部３２と反対側からコネクタ本体２から外すような力が働いた際に、突起部３３が溝部２４から抜け出すのを防止できるよう、内円筒部２１の間口等に応じて定めることができる。
【符号の説明】
【００２５】
１      コネクタ
２      コネクタ本体
２１    内円筒部
２２    溝
２３    方向規制部
２４    溝部
２５    ボッチ部
２６    フランジ部
３      コネクタカバー
３１    外円筒部
３２    保持部
３３    突起部
３４    被され部
３５    穴
４      Ｏリング
【図１】
0005775402.tif 000002
【図２】
0005775402.tif 000003
【図３】
0005775402.tif 000004
【図４】
0005775402.tif 000005
【図５】
0005775402.tif 000006
【図６】
0005775402.tif 000007